【事件の表示】
　特願２００３−３７６３３２「移動通信システムの転送情報暗号化及び暗号化解除装置及びその方法」拒絶査定不服審判事件〔平成１６年　６月１７日出願公開、特開２００４−１７３２６１〕について、次のとおり審決する。
【結　論】
　本件審判の請求は、成り立たない。
【理　由】
１．手続の経緯
　本願は、平成１５年１１月５日（パリ条約による優先権主張２００２年１１月１９日、韓国）の出願であって、平成１８年４月１４日付けで拒絶理由通知がなされ、同年７月１２日付けで手続補正されたが、同年９月１５日付けで拒絶査定がなされ、これに対して、同年１２月１８日付けで審判請求とともに手続補正され、平成１９年３月１５日付けで審査官より前置報告がなされ、平成２０年１１月２６日付けで当審より審尋がなされ、平成２１年５月１２日付けで回答書が提出され、平成２１年７月１３日付けで当審より拒絶理由通知がなされ、同年１０年１４日付けで手続補正されたが、同年１０月３０日付けで当審より最後の拒絶理由通知がなされ、平成２２年１月１９日付けで意見書が提出されたものである。
　
　
２．本願発明
　本願の請求項１に係る発明は（以下、「本願発明」という。）は、平成２１年１０月１４日付けの手続補正によって補正された特許請求の範囲の請求項１に記載された、次のとおりのものである。
　
「移動通信端末と基地局との間にネットワークを介して送受信される情報を暗号化する方法において、
　サービス開始時点以外の時点において、前記基地局への前記移動通信端末の初期登録が完了した後に、前記移動通信端末と前記基地局との間で情報が転送される途中に暗号化を必要とすると、情報暗号化準備過程を開始するために前記移動通信端末が転送情報に暗号化を要求するＲＡＮＤ番号値を含ませて前記基地局に転送する暗号化要求段階と、
　前記基地局が前記移動通信端末からの前記ＲＡＮＤ番号値を基礎として前記情報暗号化準備過程に必要なキー値を算出した後、前記暗号化準備過程が完了したというメッセージを前記移動通信端末に転送する完了段階と、
　前記暗号化準備過程の完了後、前記移動通信端末と前記基地局との間で情報が転送される途中に暗号化を行う実行段階とを含んでなることを特徴とする移動通信システムの転送情報暗号化方法。」
　
　
３．引用発明
　平成２１年１０月３０日付けの拒絶理由に引用された刊行物である特開平１０−２００５２１号公報（以下、「引用文献１」という。）には、以下の事項が記載されている。
　
（あ−１）「【００６９】●第４実施形態
この実施形態では、第１実施形態の原理が、（ＧＳＭ互換ネットワークに見られ、かつ、上記ＧＳＭ勧告内に明確にされている）空中インターフェース暗号化および識別検証システムと組み合わせて利用される。図１５を参照すると、安全性の特徴は、以下の順番で適用される。
識別検証（ステップ２００２）
空中インターフェース暗号化（ステップ２００４）
端末相互暗号化（ステップ２００６）
【００７０】最初の２つのステップは、現存するＧＳＭネットワークにおける通りであり、、かつ、３番目は、第１実施形態に関して上述された通りである。ここで、処理は、さらに詳細に説明される。図２１を参照すると、送受器プロセッサ３７およびＳＩＭ３５によって実行される機能は、個々の機能ブロックとして説明されている。各機能ブロックは、当然のことながら、個々のマイクロプロセッサまたはデジタルシグナルプロセッサ（ＤＳＰ）装置によって実行され得る。しかし、この実施形態では、実際には、１つのそのようなプロセッサ装置が送受器内に存在し、１つのそのようなプロセッサ装置がＳＡＮ３５内に存在するだけである。」
　
（あ−２）「【００７１】図２１を参照すると、アンテナ３１から受信され、かつ、ＲＦモデム３２によって復調された信号は、第１暗号化／解読ステージ３７２と第２暗号化／解読ステージ３７４とを通って送られる。第１暗号化／解読ステージ３７２は、空中インターフェース暗号化キーＫcに従ってＧＳＭから知られるＡＳアリゴリズムを適用するように用意されている。第２暗号化／解読ステージ３７４は、端末相互暗号化キーＫa,bに従って解読する第２解読アリゴリズムを適用するように用意されている。第２解読アリゴリズムは、好都合には、再び、ＧＳＭシステムで使用され、かつ、上記勧告に記載されるＡ５アリゴリズムである。その後、解読されたビットストリームは、コーデック３０に供給される。同様に、コーデック３０からの音声ビットストリームは、２つの暗号化／解読ステージ３７２，３７４を逆の順番で通って送られる。簡単化のために、その信号経路は、図２１から省略されている。
【００７２】ＳＩＭ３５内には、端末キー記憶レジスタ３５２が配置されている。端末キー記憶レジスタ３５２は、端末に対する端末キーＫa（この場合、端末２ａに対するＫa）を記憶する。端末キー記憶レジスタ３５２は、端末キーＫaを供給するために、署名計算ステージ３５４に接続されている。署名計算ステージ３５４は、Ａ３アリゴリズムに従って端末を識別検証するために使用される「署名された応答」数（ＳＲＥＳ）を計算するように用意されている。Ａ３アリゴリズムは、上述されたＧＳＭ勧告に記載されており、かつ、ＧＳＭシステムで使用される。応答計算ステージ３５４は、また、カードリーダー装置３３を介して、ＲＦモデム３２からの暗号化されていないビットストリーム出力から、ランダム数（ＲＡＮＤ１）を受信するために、接続されている。
【００７３】端末キーレジスタ３５２は、また、端末キーＫaを供給するために、第１キー生成ステージ３５６に接続されている。第１キー生成ステージ３５６は、また、ランダム数（ＲＡＮＤ１）を受信し、かつ、Ａ８アリゴリズムに従ってランダム数（ＲＡＮＤ１）から空中インターフェース暗号化キーＫcを計算するように用意されている。Ａ８アリゴリズムは、上記ＧＳＭ勧告に記載されており、かつ、ＧＳＭシステムで使用される。このようにして計算されたキーは、カードリーダー装置３３を介して、端末プロセッサ３７の第１（空中インターフェース）暗号化／解読ステージ３７２へ供給される。 
【００７４】端末キーレジスタ３５２は、また、端末キーを供給するために、第２キー生成ステージ３５８に接続されている。第２キー生成ステージ３５８は、端末キーＫaと部分キーＫpaとを利用する（第１実施形態で説明されたような排他的論理和機能による）端末相互暗号化のための暗号化キーＫRを生成するように用意されている。第２キー生成ステージ３５８は、端末プロセッサ３７の第１（空中インターフェース）暗号化／解読ステージ３７２の解読された出力から（カードリーダー装置３３を介して）受信するために、接続されている。このようにして計算された端末相互暗号化キーは、端末プロセッサ３７の第２（端末相互）暗号化／解読ステージ３７４へ供給される。」
　
（あ−３）「【００７５】図２２を参照すると、中央データベース局１５は、この実施形態において、ランダム数生成器５８２と記憶装置５４とキー生成ステージ５８４と署名計算ステージ５８６とを具備する。ランダム数生成器５８２は、使用の度に、無作為の順番で新たな２進１２８ビット数（ＲＡＮＤ１）を生成するように用意されている。記憶装置５４は、端末キーＫiを記憶する。キー生成ステージ５８４は、記憶装置５４からの端末キーとランダム数（ＲＡＮＤ１）とを受信し、かつ、Ａ８アリゴリズムに従って、この端末キーおよびランダム数（ＲＡＮＤ１）から、空中インターフェース暗号化キーＫcを計算するために接続されている。Ａ８アリゴリズムは、ＧＳＭ勧告に記載されており、かつ、ＧＳＭシステムで使用される。署名計算ステージ５８６は、同様に、端末キーとランダム数（ＲＡＮＤ１）とを受信するために接続されており、Ａ３アリゴリズムに従って、署名された応答数（ＳＲＥＳ）を計算するように用意されている。Ａ３アリゴリズムは、上述したＧＳＭ勧告に記載されており、かつ、ＧＳＭシステムで使用される。
【００７６】ランダム数生成ステージ５８２と署名応答生成ステージ５８６とキー生成ステージ５８４との出力は、地球局６への送信のための信号送信回路５６に接続されている。図２３を参照すると、各地球局６は、（データベース４８内に、）３連レジスタ４８２を具備する。３連レジスタ４８２は、３連の予め決められた数（例えば５）を記憶するように用意されている。上記３連は、それぞれ、信号送信リンク６０を介してデータベース局１５から供給されたランダム数と対応ＳＲＥＳと対応空中インターフェース暗号化キーＫcとを具備する。
【００７７】移動端末２が地球局６を登録する度に、地球局は、３連の予め決められた数の（中央データベース局１５からの）供給を要求する。従って、中央データベース局１５は、３連の予め決められた数を生成し、かつ、それらの数を、信号送信リンク６０を介して、レジスタ４８２での記憶のために送信する。比較器２８２もまた、地球局６内に設けられている。比較器２８２は、３連レジスタ４８２に結合され、かつ、地球局６の空中インターフェース構成要素２４，２６に結合されている。比較器２８２は、移動端末２から受信される署名された応答（ＳＲＥＳ）数を、レジスタ４８２に記憶された署名された応答と比較し、かつ、２つの数の間の通信（または、通信がないこと）を示すように用意されている。もし、２つの数が一致しないならば、使用者は識別検証されず、かつ、サービスは制御ユニット２８によって中止される。
【００７８】最後に、地球局６は、空中インターフェース暗号化ステージ２８４を具備する。空中インターフェース暗号化ステージ２８４は、（ＧＳＭから知られる）ＡＳアリゴリズムに従って、３連レジスタ４８２から供給される空中インターフェース暗号化キーＫcを使用して、暗号化および解読するために用意されている。暗号化の方向では、空中インターフェース暗号化／解読ステージ２８４は、コーデック５０（図３）からの入力を受信し、かつ、その出力を空中インターフェース構成要素２４，２６に発する。ところが、解読の方向では、暗号化／解読ステージ２８４は、空中インターフェース構成要素２４，２６からその入力を受信し、かつ、その出力をコーデック５０へ発する。」
　
（い−１）「【００７９】この実施形態の動作は、ここで、図２４〜図２７を参照して、より詳細に説明される。図２４〜図２７において、（さらに詳細には説明されない）図１１〜図１４の処理のステップが組み込まれる。図１１にあるとおり、プライバシーに対する要求が、パーティのうちの１人によって開始され、かつ、プライバシー要求信号は、端末２ａから送信される。地球局６ａでのプライバシー信号の受信（ステップ１１０２）、および、データベース局１５へのプライバシー信号の送信（ステップ１１０４）に続いて、図１３を参照すると、ステップ１２０２，１２０４は、２つの端末の端末キーを生じるために、実行される。
【００８０】そして、ステップ１２０５において、端末相互暗号化を使用することを両方の加入者が識別検証されるか否かを判断するために、判断が実行される。もし、両方の加入者が識別検証されるならば、図１３のステップ１２０６〜１２１０が実行される。次に、または、もし、両方の加入者が識別検証されないならば、データベース局１５は、ステップ１２１２に進む。ステップ１２１２において、データベース局１５は、地球局６ａ，６ｂに信号を送信する。地球局６ａ，６ｂは、２つの端末２ａ，２ｂが、端末識別検証チェックを実行し、かつ、空中インターフェース暗号化を開始するように指示するように、２つの端末２ａ，２ｂを処理する。」
　
（い−２）「【００８１】図２５に戻って参照すると、各地球局６は、指示信号および部分キーの受信時（ステップ１１１０）に、識別検証質問メッセージを送る（ステップ１１１２）。識別検証質問メッセージは、３連レジスタ４８２から得られる次のランダム数ＲＡＮＤ１を含む。さらに、ＧＳＭシステムにおけるように、キー番号は、さらなる確認のために送信される。図２４に戻って参照すると、識別検証要求メッセージの受信時（ステップ１０１４）に、ランダム数（ＲＡＮＤ１）は引き出され、かつ、ＳＩＭ３５に送られる（ステップ１０１６）。
【００８２】図２７を参照すると、ＳＩＭ３５において、ランダム数ＲＡＮＤ１の受信時（ステップ１３１０）に、ＳＩＭプロセッサ３５ａは、端末キーＫaを捜し（ステップ１３１２）、かつ、署名された応答（ＳＲＥＳ）を、Ａ３アリゴリズムを使用して計算する（ステップ１３１４）。ステップ１３１６において、ＳＩＭプロセッサ３５ａは、空中インターフェース暗号化キーＫcを、ランダム数（ＲＡＮＤ１）および端末キーＫaを使用して計算する。ステップ１３１８において、ＳＩＭ３５は、署名された応答数（ＳＲＥＳ）と空中インターフェース暗号化キー（Ｋc）とを、カードリーダー装置３３を介して、端末プロセッサ３７に送信する。 
【００８３】次に、ＳＩＭ３５は、図１４の処理を実行する。図２４を参照すると、署名された応答数（ＳＲＥＳ）のステップ１０１８における受信時に、端末プロセッサ３７は、ＳＲＥＳ数を地球局６ａに送信する（ステップ１０２０）。図２５を参照すると、地球局６は、署名された応答数を受信し（ステップ１１１４）、かつ、署名された応答数を、（３連レジスタ４８２内に収容された）記憶された署名された応答数と比較する。もし、２つの応答数が一致しないならば、呼は終了される（ステップ１１１７）。この他に、もし、望まれるならば、識別検証におけるさらなる試みが行われる。
【００８４】もし、ステップ１１１６において、移動端末２から受信された署名された応答が、記憶された署名された応答と一致するならば、地球局６は、ちょうど受信された署名された応答に対応する３連レジスタ４８２に記憶された暗号化キーＫcを読み、かつ、移動端末２への全ての以降の信号を暗号化することと、移動端末２からの全ての以降の信号を解読することとを、暗号化キーＫcと共にＡＳアリゴリズムを使用して、開始する（ステップ１１１８）。ＧＳＭシステムにおいて従来的であるように、フレーム番号は、また、暗号化アリゴリズムへの入力として使用される。その後、地球局６は、データベース局１５から受信される部分キーＫpaを端末２ａに送るために、図１２のステップ１１０８へ戻る。しかし、この実施形態において、このことは、暗号化された形式で実施する。 
【００８５】図２４に戻ると、ＳＩＭ３５からの空中インターフェース暗号化キーＫcの受信時（ステップ１０２２）に、端末プロセッサ３７は、暗号化／解読モードを開始する。暗号化／解読モードでは、Ａ５アリゴリズムと空中インターフェース暗号化キーＫcとを使用して、空中インターフェースモデム３２から受信される全てのトラフィックが解読され、かつ、空中インターフェースモデム３２へ送信される全てのトラフィックが暗号化される。さらに、地球局６がフレーム番号を使用すると、端末２は、同様に、フレーム番号を使用する。そして、（この例における）端末２ａの端末プロセッサ３７によって実行される処理は、地球局６から受信された部分暗号化キーＫpaを、（暗号化された形式で）受信し、かつ、解読し、かつ、使用するために、図１１のステップ１００４へ戻る。対応する処理は、端末２ｂに対して、実行される。」
　
（い−３）「【００８６】上記記載は、端末は新たには識別検証されないということ、および、端末は既に空中インターフェース暗号化モードにあるわけではない、ということを仮定しているが、このことは必ずしもそうである必要はない。もし、どちらかの端末が、空中インターフェース暗号化を、既に適用しているならば、識別検証および空中インターフェース暗号化を設定するための上記対応するステップは、再度実行されるわけではない。上記実施形態では、追加の保護が設けられる。例えば、安全な通信を開始するために、端末使用者は、ＳＩＭ上に収容されたデータと照合するためのＰＩＮコードを入力することを要求される。本発明がＧＳＭ互換システムまたは同様のシステムで実行される場合、ＳＩＭ３５は、国際移動加入者識別番号（ＩＭＳＩ）の形式で、さらなる情報を含み、かつ、高速ダイヤルまたは他の目的のための電話番号のリストを選択的に含む。」
　
（う）「【００４０】●登録および位置
 ある実施形態において、顧客移動端末装置２は、２つの異なる状態のうちの１つで登録されている。１つは「ローカル」であり、この場合、移動端末装置は、１つのローカルエリア、または、衛星システムネットワークの一部を通して通信することだけを許可される。もう１つは「グローバル」であり、これは、装置に対して、衛星システムネットワークの全ての部分を通して通信する資格を与える。各装置２の状態（即ち「ローカル」または「グローバル」）は、図６に示されるように、データベース局１５の記憶装置５４内において、関連する装置２のために保持された記録内に記憶される。
【００４１】端末２が出力呼のために利用される場合、および／または、装置２がオンに切り替えられる場合、および／または、周期的に装置２がオンに切り替えられる間の各場合において、移動端末装置２は、セルラー地上通信の技術ではよく知られた種類の自動登録処理を実行する。従来からそうであるように、登録処理は、（例えば、共通の呼出しまたは信号送信周波数上でその電話番号を送信することによって）移動端末２を識別する信号の同報通信の形式をとる。
【００４２】送信された信号は、１または２以上の衛星４によってピックアップされる。通常の環境の下では、信号は、複数の衛星４によってピックアップされる。そして、受信された信号強度および／または到達時間は、移動装置２の識別子および（信号を受信した）衛星４の識別子と共に、衛星４が通信中の（１または複数の）地球局ノード６および信号送信リンク６０を介して、データベース局１５に送信される。
【００４３】そして、データベース局１５のプロセッサ５８は、例えば、差異のある到達時間に基づいて、移動端末装置２の地上の位置を計算し、この位置は、データベース５４内に記憶される。移動端末装置２との通信に最も適した地球局ノード６（即ち、「有効な」局）の識別子も記憶される。この地球局ノード６は、プロセッサ５８が、端末２の記憶された位置を各々の地球局ノード６の予め記憶された位置と比較し、かつ、最も近いものを選択することによって、典型的に発見される。しかしながら、衛星４を介して受信された信号の強度、または、（ネットワークの密集のような）他の要因もまた、あるいは、代わりに、考慮されてもよい。このネットワークの密集は、境界線の場合に、移動端末装置２に地理的に最も近いわけではないノード地球局の選択をもたらす。そして、割り当てられた有効な地球局ノード６の識別子は、同様に、（記憶装置５４において、）端末装置に対する記録内に記憶される。」
　
　
　上記（あ−１）「【００６９】●第４実施形態
この実施形態では、第１実施形態の原理が、（ＧＳＭ互換ネットワークに見られ、かつ、上記ＧＳＭ勧告内に明確にされている）空中インターフェース暗号化および識別検証システムと組み合わせて利用される。図１５を参照すると、安全性の特徴は、以下の順番で適用される。
識別検証（ステップ２００２）
空中インターフェース暗号化（ステップ２００４）
端末相互暗号化（ステップ２００６）
【００７０】最初の２つのステップは、現存するＧＳＭネットワークにおける通りであり、、かつ、３番目は、第１実施形態に関して上述された通りである。」の記載、及び、
　上記（い−２）「【００８４】もし、ステップ１１１６において、移動端末２から受信された署名された応答が、記憶された署名された応答と一致するならば、地球局６は、ちょうど受信された署名された応答に対応する３連レジスタ４８２に記憶された暗号化キーＫcを読み、かつ、移動端末２への全ての以降の信号を暗号化することと、移動端末２からの全ての以降の信号を解読することとを、暗号化キーＫcと共にＡＳアリゴリズムを使用して、開始する（ステップ１１１８）。」の記載からすると、
　引用文献１には、移動端末２と地球局６との間にＧＳＭネットワークを介して送受信される信号を暗号化するＧＳＭシステムの暗号化方法が記載されている。
　
　上記（い−１）「【００７９】この実施形態の動作は、ここで、図２４〜図２７を参照して、より詳細に説明される。図２４〜図２７において、（さらに詳細には説明されない）図１１〜図１４の処理のステップが組み込まれる。図１１にあるとおり、プライバシーに対する要求が、パーティのうちの１人によって開始され、かつ、プライバシー要求信号は、端末２ａから送信される。地球局６ａでのプライバシー信号の受信（ステップ１１０２）、および、データベース局１５へのプライバシー信号の送信（ステップ１１０４）に続いて、図１３を参照すると、ステップ１２０２，１２０４は、２つの端末の端末キーを生じるために、実行される。
【００８０】そして、ステップ１２０５において、端末相互暗号化を使用することを両方の加入者が識別検証されるか否かを判断するために、判断が実行される。もし、両方の加入者が識別検証されるならば、図１３のステップ１２０６〜１２１０が実行される。次に、または、もし、両方の加入者が識別検証されないならば、データベース局１５は、ステップ１２１２に進む。ステップ１２１２において、データベース局１５は、地球局６ａ，６ｂに信号を送信する。地球局６ａ，６ｂは、２つの端末２ａ，２ｂが、端末識別検証チェックを実行し、かつ、空中インターフェース暗号化を開始するように指示するように、２つの端末２ａ，２ｂを処理する。」の記載と、
　上記（い−３）「【００８６】上記記載は、端末は新たには識別検証されないということ、および、端末は既に空中インターフェース暗号化モードにあるわけではない、ということを仮定しているが、このことは必ずしもそうである必要はない。もし、どちらかの端末が、空中インターフェース暗号化を、既に適用しているならば、識別検証および空中インターフェース暗号化を設定するための上記対応するステップは、再度実行されるわけではない。」の記載と、
　上記（う）「【００４０】●登録および位置
ある実施形態において、顧客移動端末装置２は、２つの異なる状態のうちの１つで登録されている。１つは「ローカル」であり、この場合、移動端末装置は、１つのローカルエリア、または、衛星システムネットワークの一部を通して通信することだけを許可される。　・・・・　＜中略＞　・・・・　
【００４１】端末２が出力呼のために利用される場合、および／または、装置２がオンに切り替えられる場合、および／または、周期的に装置２がオンに切り替えられる間の各場合において、移動端末装置２は、セルラー地上通信の技術ではよく知られた種類の自動登録処理を実行する。従来からそうであるように、登録処理は、（例えば、共通の呼出しまたは信号送信周波数上でその電話番号を送信することによって）移動端末２を識別する信号の同報通信の形式をとる。
【００４２】送信された信号は、１または２以上の衛星４によってピックアップされる。通常の環境の下では、信号は、複数の衛星４によってピックアップされる。そして、受信された信号強度および／または到達時間は、移動装置２の識別子および（信号を受信した）衛星４の識別子と共に、衛星４が通信中の（１または複数の）地球局ノード６および信号送信リンク６０を介して、データベース局１５に送信される。
【００４３】そして、データベース局１５のプロセッサ５８は、例えば、差異のある到達時間に基づいて、移動端末装置２の地上の位置を計算し、この位置は、データベース５４内に記憶される。移動端末装置２との通信に最も適した地球局ノード６（即ち、「有効な」局）の識別子も記憶される。　・・・・　＜中略＞　・・・・　
そして、割り当てられた有効な地球局ノード６の識別子は、同様に、（記憶装置５４において、）端末装置に対する記録内に記憶される。」の記載において、
　上記（う）の記載事項によると、移動端末２が出力呼のために利用される場合又はオンに切り替えられる場合に、地球局６への移動端末２の自動登録処理は実行され、移動端末２は割り当てられた有効な地球局６と通信するものであると言える。
　そうすると、上記（い−１）の記載事項中の、移動端末２は地球局６に対してプライバシー要求信号を送信しているのであるから、移動端末２の地球局６へのプライバシー要求信号の送信は、移動端末２の登録処理が実行されて地球局６に割り当てられた後であることは明らかである。そして、移動端末は移動端末２の登録処理が実行されて地球局６に割り当てられていることから、地球局６への移動端末２の登録が完了しているものと解される。
　よって、移動端末２の地球局６へのプライバシー要求信号の送信は、地球局６への移動端末２の登録が完了した後であると言える。
　また、上記（い−１）の記載事項から、地球局６ａ，６ｂは、両方の加入者が識別検証されないならば、空中インターフェース暗号化を開始するように指示しており、そして、上記（い−３）の記載事項によると、空中インターフェース暗号化を既に適用しているならば、識別検証および空中インターフェース暗号化を設定するステップは実行されないのであるから、識別検証されなければ、移動端末は空中インターフェース暗号化モードにないと言える。
　よって、上記（い−１）及び上記（い−３）の記載事項からすると、プライバシー信号を受信した地球局６は、移動端末２が識別検証されず空中インターフェース暗号化モードにないときに、端末識別検証チェックを実行するものであって、この地球局が端末識別検証チェックを実行するときは、移動端末が空中インターフェース暗号化モードにない状態であると言える。
　そうしてみると、移動端末２の地球局６へのプライバシー要求信号の送信は、地球局６への移動端末２の登録が完了した後、移動端末２が空中インターフェース暗号化モードにない状態で行われていると言える。
　したがって、引用文献１には、地球局６への移動端末２の登録が完了した後に、空中インターフェース暗号化モードにない状態の移動端末２が空中インターフェース暗号化を必要とすると、移動端末２がプライバシー要求信号を地球局６に送信するプライバシー要求ステップが記載されている。
　
　上記（い−１）「【００７９】　＜前略＞　・・・・　プライバシー要求信号は、端末２ａから送信される。地球局６ａでのプライバシー信号の受信（ステップ１１０２）　・・・・　＜中略＞　・・・・　
【００８０】　＜前略＞　・・・・　地球局６ａ，６ｂは、２つの端末２ａ，２ｂが、端末識別検証チェックを実行し、かつ、空中インターフェース暗号化を開始するように指示するように、２つの端末２ａ，２ｂを処理する。」の記載と、
　上記（い−２）「【００８１】図２５に戻って参照すると、各地球局６は、指示信号および部分キーの受信時（ステップ１１１０）に、識別検証質問メッセージを送る（ステップ１１１２）。識別検証質問メッセージは、３連レジスタ４８２から得られる次のランダム数ＲＡＮＤ１を含む。さらに、ＧＳＭシステムにおけるように、キー番号は、さらなる確認のために送信される。図２４に戻って参照すると、識別検証要求メッセージの受信時（ステップ１０１４）に、ランダム数（ＲＡＮＤ１）は引き出され、かつ、ＳＩＭ３５に送られる（ステップ１０１６）。」の記載において、
　上記（い−１）の記載事項から、地球局６は、端末からのプライバシー要求信号を受信すると、移動端末２が、端末識別検証チェックを実行して空中インターフェース暗号化を開始するように指示しており、そして、上記（い−２）の記載事項によると、地球局６は、指示として識別検証質問メッセージを送っていることから、地球局６は、プライバシー要求信号を受信すると、空中インターフェース暗号化を開始するための識別検証質問メッセージを送っていると言える。
　また、上記（い−２）の記載事項からすると、地球局６は、ランダム数（ＲＡＮＤ１）を含む識別検証質問メッセージを送り、移動端末２は、ランダム数（ＲＡＮＤ１）を含む識別検証要求メッセージを受信していることから、ランダム数（ＲＡＮＤ１）を含む識別検証質問メッセージとランダム数（ＲＡＮＤ１）を含む識別検証要求メッセージとは同じメッセージであることは明らかである。
　そして、（あ−３）「【００７５】図２２を参照すると、中央データベース局１５は、この実施形態において、ランダム数生成器５８２と記憶装置５４とキー生成ステージ５８４と署名計算ステージ５８６とを具備する。ランダム数生成器５８２は、使用の度に、無作為の順番で新たな２進１２８ビット数（ＲＡＮＤ１）を生成するように用意されている。記憶装置５４は、端末キーＫiを記憶する。キー生成ステージ５８４は、記憶装置５４からの端末キーとランダム数（ＲＡＮＤ１）とを受信し、かつ、Ａ８アリゴリズムに従って、この端末キーおよびランダム数（ＲＡＮＤ１）から、空中インターフェース暗号化キーＫcを計算するために接続されている。Ａ８アリゴリズムは、ＧＳＭ勧告に記載されており、かつ、ＧＳＭシステムで使用される。署名計算ステージ５８６は、同様に、端末キーとランダム数（ＲＡＮＤ１）とを受信するために接続されており、Ａ３アリゴリズムに従って、署名された応答数（ＳＲＥＳ）を計算するように用意されている。Ａ３アリゴリズムは、上述したＧＳＭ勧告に記載されており、かつ、ＧＳＭシステムで使用される。
【００７６】ランダム数生成ステージ５８２と署名応答生成ステージ５８６とキー生成ステージ５８４との出力は、地球局６への送信のための信号送信回路５６に接続されている。図２３を参照すると、各地球局６は、（データベース４８内に、）３連レジスタ４８２を具備する。３連レジスタ４８２は、３連の予め決められた数（例えば５）を記憶するように用意されている。上記３連は、それぞれ、信号送信リンク６０を介してデータベース局１５から供給されたランダム数と対応ＳＲＥＳと対応空中インターフェース暗号化キーＫcとを具備する。
【００７７】移動端末２が地球局６を登録する度に、地球局は、３連の予め決められた数の（中央データベース局１５からの）供給を要求する。従って、中央データベース局１５は、３連の予め決められた数を生成し、かつ、それらの数を、信号送信リンク６０を介して、レジスタ４８２での記憶のために送信する。 」の記載からすると、
　地球局６は、地球局側で生成されたランダム数（ＲＡＮＤ１）と、Ａ８アリゴリズムに従って端末キーＫiおよびランダム数（ＲＡＮＤ１）から計算された空中インターフェース暗号化キーＫcと、Ａ３アリゴリズムに従って端末キーＫiおよびランダム数（ＲＡＮＤ１）から計算された署名された応答数（ＳＲＥＳ）とを３連レジスタに記憶しており、
　また、上記（い−２）「【００８１】図２５に戻って参照すると、各地球局６は、指示信号および部分キーの受信時（ステップ１１１０）に、識別検証質問メッセージを送る（ステップ１１１２）。識別検証質問メッセージは、３連レジスタ４８２から得られる次のランダム数ＲＡＮＤ１を含む。」の記載から、
　識別検証質問メッセージに含まれるランダム数ＲＡＮＤ１は、３連レジスタ４８２から得られるものである。
　以上のことを踏まえると、地球局６は、移動端末２からのプライバシー要求信号を受信すると、地球局側で生成されたランダム数（ＲＡＮＤ１）と、ランダム数（ＲＡＮＤ１）を用いて計算された空中インターフェース暗号化キーＫcと、ランダム数（ＲＡＮＤ１）を用いて計算された署名された応答数（ＳＲＥＳ）とを３連レジスタに記憶した後、３連レジスタからランダム数（ＲＡＮＤ１）を得て、空中インターフェース暗号化を開始するためのランダム数（ＲＡＮＤ１）を含む識別検証要求メッセージを移動端末２に送信していると解される。
　つまり、上記からすると、引用文献１には、地球局６は、移動端末２からのプライバシー要求信号を受信すると、地球局側のランダム数（ＲＡＮＤ１）を用いて空中インターフェース暗号化キーＫc及び署名された応答数（ＳＲＥＳ）とを計算した後、地球局側のランダム数（ＲＡＮＤ１）を含む識別検証質問メッセージを移動端末２に送信することが記載されている。
　さらに、上記（あ−２）「【００７２】ＳＩＭ３５内には、端末キー記憶レジスタ３５２が配置されている。端末キー記憶レジスタ３５２は、端末に対する端末キーＫa（この場合、端末２ａに対するＫa）を記憶する。端末キー記憶レジスタ３５２は、端末キーＫaを供給するために、署名計算ステージ３５４に接続されている。署名計算ステージ３５４は、Ａ３アリゴリズムに従って端末を識別検証するために使用される「署名された応答」数（ＳＲＥＳ）を計算するように用意されている。Ａ３アリゴリズムは、上述されたＧＳＭ勧告に記載されており、かつ、ＧＳＭシステムで使用される。応答計算ステージ３５４は、また、カードリーダー装置３３を介して、ＲＦモデム３２からの暗号化されていないビットストリーム出力から、ランダム数（ＲＡＮＤ１）を受信するために、接続されている。
【００７３】端末キーレジスタ３５２は、また、端末キーＫaを供給するために、第１キー生成ステージ３５６に接続されている。第１キー生成ステージ３５６は、また、ランダム数（ＲＡＮＤ１）を受信し、かつ、Ａ８アリゴリズムに従ってランダム数（ＲＡＮＤ１）から空中インターフェース暗号化キーＫcを計算するように用意されている。Ａ８アリゴリズムは、上記ＧＳＭ勧告に記載されており、かつ、ＧＳＭシステムで使用される。このようにして計算されたキーは、カードリーダー装置３３を介して、端末プロセッサ３７の第１（空中インターフェース）暗号化／解読ステージ３７２へ供給される。」の記載と、
　上記（い−２）「図２４に戻って参照すると、識別検証要求メッセージの受信時（ステップ１０１４）に、ランダム数（ＲＡＮＤ１）は引き出され、かつ、ＳＩＭ３５に送られる（ステップ１０１６）。
【００８２】図２７を参照すると、ＳＩＭ３５において、ランダム数ＲＡＮＤ１の受信時（ステップ１３１０）に、ＳＩＭプロセッサ３５ａは、端末キーＫaを捜し（ステップ１３１２）、かつ、署名された応答（ＳＲＥＳ）を、Ａ３アリゴリズムを使用して計算する（ステップ１３１４）。ステップ１３１６において、ＳＩＭプロセッサ３５ａは、空中インターフェース暗号化キーＫcを、ランダム数（ＲＡＮＤ１）および端末キーＫaを使用して計算する。ステップ１３１８において、ＳＩＭ３５は、署名された応答数（ＳＲＥＳ）と空中インターフェース暗号化キー（Ｋc）とを、カードリーダー装置３３を介して、端末プロセッサ３７に送信する。
【００８３】次に、ＳＩＭ３５は、図１４の処理を実行する。図２４を参照すると、署名された応答数（ＳＲＥＳ）のステップ１０１８における受信時に、端末プロセッサ３７は、ＳＲＥＳ数を地球局６ａに送信する（ステップ１０２０）。図２５を参照すると、地球局６は、署名された応答数を受信し（ステップ１１１４）、かつ、署名された応答数を、（３連レジスタ４８２内に収容された）記憶された署名された応答数と比較する。もし、２つの応答数が一致しないならば、呼は終了される（ステップ１１１７）。この他に、もし、望まれるならば、識別検証におけるさらなる試みが行われる。
【００８４】もし、ステップ１１１６において、移動端末２から受信された署名された応答が、記憶された署名された応答と一致するならば、地球局６は、ちょうど受信された署名された応答に対応する３連レジスタ４８２に記憶された暗号化キーＫcを読み、かつ、移動端末２への全ての以降の信号を暗号化することと、移動端末２からの全ての以降の信号を解読することとを、暗号化キーＫcと共にＡＳアリゴリズムを使用して、開始する（ステップ１１１８）。」の記載及び図２１，図２４，図２５において、
　上記（あ−２）の記載事項と図２１によれば、ＳＩＭ３５はインターフェース装置を介して端末プロセッサ３７に接続されているのであるから、ＳＩＭ３５及び端末プロセッサ３７が移動端末２に含まれるものであることは明らかである。
　また、上記（い−２）の記載事項によると、地球局６からの識別検証要求メッセージの受信時に、ランダム数（ＲＡＮＤ１）は引き出されてＳＩＭ３５に送られ、ＳＩＭ３５は、ランダム数（ＲＡＮＤ１）の受信時に、ランダム数（ＲＡＮＤ１）を使用して空中インターフェース暗号化キーＫc及び署名された応答（ＳＲＥＳ）を計算して、署名された応答数（ＳＲＥＳ）を端末プロセッサ３７に送信しており、そして、ＳＩＭ３５及び端末プロセッサ３７は移動端末２に含まれているものであるから、
　移動端末２は、地球局６からのランダム数（ＲＡＮＤ１）を含む識別検証要求メッセージを受信すると、受信した識別検証要求メッセージに含まれるランダム数（ＲＡＮＤ１）を用いて空中インターフェース暗号化キーＫc及び署名された応答数（ＳＲＥＳ）を計算し、応答数（ＳＲＥＳ）を地球局６に送信し、地球局６は、移動端末２からの署名された応答数（ＳＲＥＳ）を受信し、移動端末２から受信された署名された応答が、記憶された署名された応答と一致するかを比較するものと言える。
　また、上記（い−２）の記載事項において、地球局６で受信した署名された応答数（ＳＲＥＳ）が、地球局６に記憶されている署名された応答数（ＳＲＥＳ）と一致すると、地球局６は、移動端末２への全ての以降の信号を暗号化することと、移動端末２からの全ての以降の信号を解読することとを、暗号化キーＫcと共にＡＳアリゴリズムを使用して開始することからすると、
　地球局６で受信した署名された応答数（ＳＲＥＳ）が、地球局６に記憶されている署名された応答数（ＳＲＥＳ）と一致することは、地球局６と移動端末２との間で空中インターフェース暗号化のための準備が完了したことを示すものと言える。
　以上のことを踏まえると、引用文献１には、地球局６が移動端末２からのプライバシー要求信号を受信すると、地球局側のランダム数（ＲＡＮＤ１）を用いて空中インターフェース暗号化キーＫc及び署名された応答数（ＳＲＥＳ）とを計算した後、地球局側のランダム数（ＲＡＮＤ１）を含む識別検証質問メッセージを移動端末２に送信し、移動端末２から署名された応答数（ＳＲＥＳ）を受信して、空中インターフェース暗号化準備を完了する完了ステップが記載されている。
　
　また、上記（い−２）の「【００８４】もし、ステップ１１１６において、移動端末２から受信された署名された応答が、記憶された署名された応答と一致するならば、地球局６は、ちょうど受信された署名された応答に対応する３連レジスタ４８２に記憶された暗号化キーＫcを読み、かつ、移動端末２への全ての以降の信号を暗号化することと、移動端末２からの全ての以降の信号を解読することとを、暗号化キーＫcと共にＡＳアリゴリズムを使用して、開始する（ステップ１１１８）。」記載及び図２５によると、
　地球局６は、移動端末２から受信された署名された応答が、記憶された署名された応答と一致するならば、移動端末２への全ての以降の信号を暗号化することと、移動端末２からの全ての以降の信号を解読することとを開始している。
　すなわち、地球局６は、移動端末２から署名された応答数（ＳＲＥＳ）を受信すると、受信した署名された応答数（ＳＲＥＳ）が、地球局６に記憶されている署名された応答数（ＳＲＥＳ）と一致するならば、空中インターフェース暗号化を開始している。
　ここで、受信した署名された応答数（ＳＲＥＳ）が、地球局６に記憶されている署名された応答数（ＳＲＥＳ）と一致することは、地球局６と移動端末２との間で空中インターフェース暗号化のための準備が完了したことを示すものであることを踏まえると、
　引用文献１には、空中インターフェース暗号化準備の完了後、空中インターフェース暗号化を開始する暗号化ステップが記載されている。
　
　
　以上より、上記（あ−１）から（う）の記載及び図２０から図２７を参酌すると、引用文献１には、次の発明（以下、「引用発明」という。）が記載されている。
　
　移動端末２と地球局６との間にＧＳＭネットワークを介して送受信される信号を暗号化するＧＳＭシステムの暗号化方法において、
　地球局６への移動端末２の登録が完了した後に、空中インターフェース暗号化モードにない状態の移動端末２が空中インターフェース暗号化を必要とすると、移動端末２がプライバシー要求信号を地球局６に送信するプライバシー要求ステップと、
　地球局６が移動端末２からのプライバシー要求信号を受信すると、地球局側のランダム数（ＲＡＮＤ１）を用いて空中インターフェース暗号化キーＫc及び署名された応答数（ＳＲＥＳ）とを計算した後、地球局側のランダム数（ＲＡＮＤ１）を含む識別検証質問メッセージを移動端末２に送信し、移動端末２から署名された応答数（ＳＲＥＳ）を受信して、空中インターフェース暗号化準備を完了する完了ステップと、
　空中インターフェース暗号化準備の完了後、空中インターフェース暗号化を開始する暗号化ステップと
　を含んでなることを特徴とするＧＳＭシステムの暗号化方法。
　
　
４．対比
　ここで、本願発明と引用発明とを対比する。
　
　引用発明の「移動端末２」「地球局６」「ＧＳＭネットワーク」「ＧＳＭシステム」は、それぞれ、
　本願発明の「移動通信端末」「基地局」「ネットワーク」「移動通信システム」に相当する。
　
　また、引用発明の「ＧＳＭシステム」は、移動端末２と地球局６との間にＧＳＭネットワークを介して信号を送受信するための移動通信システムであるから、ＧＳＭシステムの暗号化方法は、ＧＳＭネットワークを介して送受信される信号を暗号化する方法と言えるものであり、そして、ＧＳＭネットワークを介して送受信される信号は、ＧＳＭネットワークを介して送受信される情報とも言えるものであることを踏まえると、
　ＧＳＭシステムの暗号化方法は、ＧＳＭネットワークを介して送受信される情報を暗号化する方法と言える。
　したがって、引用発明の「移動端末２と地球局６との間にＧＳＭネットワークを介して送受信される信号を暗号化するＧＳＭシステムの暗号化方法」は、
　本願発明の「移動通信端末と基地局との間にネットワークを介して送受信される情報を暗号化する方法」に相当する。
　
　また、引用発明の「地球局６への移動端末２の登録が完了した後に、空中インターフェース暗号化モードにない状態の移動端末２が空中インターフェース暗号化を必要とすると、移動端末２がプライバシー要求信号を地球局６に送信するプライバシー要求ステップ」と、
　本願発明の「サービス開始時点以外の時点において、基地局への前記移動通信端末の初期登録が完了した後に、移動通信端末と前記基地局との間で情報が転送される途中に暗号化を必要とすると、情報暗号化準備過程を開始するために移動通信端末が転送情報に暗号化を要求するＲＡＮＤ番号値を含ませて基地局に転送する暗号化要求段階」とは、
　基地局への移動通信端末の初期登録が完了した後に、情報の暗号化を必要とすると、情報暗号化準備過程を開始するために移動通信端末が転送情報の暗号化を要求する要求情報を基地局に転送する暗号化要求段階である点で共通している。
　
　また、引用発明の「完了ステップ」において、地球局６は、地球局側のランダム数（ＲＡＮＤ１）を用いて空中インターフェース暗号化キーＫc及び署名された応答数（ＳＲＥＳ）とを計算した後、地球局側のランダム数（ＲＡＮＤ１）を含む識別検証質問メッセージを移動端末２に送信し、移動端末２から署名された応答数（ＳＲＥＳ）を受信して、空中インターフェース暗号化準備を完了するものであり、
　この「完了ステップ」において、地球局側のランダム数（ＲＡＮＤ１）を用いて空中インターフェース暗号化キーＫcを計算することは、ランダム数（ＲＡＮＤ１）を基礎として空中インターフェース暗号化準備に必要な空中インターフェース暗号化キーＫcを算出することと言えることを踏まえると、引用発明の「完了ステップ」は、地球局６がランダム数（ＲＡＮＤ１）を基礎として空中インターフェース暗号化準備に必要な空中インターフェース暗号化キーＫcを算出した後、空中インターフェース暗号化準備を完了するものと言える。
　そして、本願発明の「完了段階」も、基地局が移動通信端末からのＲＡＮＤ番号値を基礎として情報暗号化準備過程に必要なキー値を算出した後、暗号化準備過程が完了したというメッセージを移動通信端末に転送して、暗号化準備過程を完了するものと言えることからすると、
　引用発明の「地球局６が移動端末２からのプライバシー要求信号を受信すると、地球局側のランダム数（ＲＡＮＤ１）を用いて空中インターフェース暗号化キーＫc及び署名された応答数（ＳＲＥＳ）とを計算した後、地球局側のランダム数（ＲＡＮＤ１）を含む識別検証質問メッセージを移動端末２に送信し、移動端末２から署名された応答数（ＳＲＥＳ）を受信して、空中インターフェース暗号化準備を完了する完了ステップ」と、
　本願発明の「基地局が移動通信端末からのＲＡＮＤ番号値を基礎として情報暗号化準備過程に必要なキー値を算出した後、暗号化準備過程が完了したというメッセージを移動通信端末に転送する完了段階」とは、
　基地局がＲＡＮＤ番号値を基礎として情報暗号化準備過程に必要なキー値を算出した後、暗号化準備過程を完了する完了段階である点で共通している。
　
　また、引用発明の「空中インターフェース暗号化準備の完了後、空中インターフェース暗号化を開始する暗号化ステップ」と、
　本願発明の「暗号化準備過程の完了後、移動通信端末と基地局との間で情報が転送される途中に暗号化を行う実行段階」とは、
　暗号化準備過程の完了後、情報の暗号化を行う実行段階である点で共通している。
　
　
　以上より、本願発明と引用発明とは、以下の点で一致し、また、相違している。 
　
（一致点）
　移動通信端末と基地局との間にネットワークを介して送受信される情報を暗号化する方法において、
　基地局への移動通信端末の初期登録が完了した後に、情報の暗号化を必要とすると、情報暗号化準備過程を開始するために移動通信端末が転送情報の暗号化を要求する要求情報を基地局に転送する暗号化要求段階と、
　基地局がＲＡＮＤ番号値を基礎として情報暗号化準備過程に必要なキー値を算出した後、暗号化準備過程を完了する完了段階と、
　暗号化準備過程の完了後、情報の暗号化を行う実行段階とを含んでなることを特徴とする移動通信システムの転送情報暗号化方法。
　
（相違点１）
　暗号化要求段階において情報の暗号化の要求をし、実行段階において情報の暗号化を行うときが、
　本願発明は、サービス開始時点以外の時点において、移動通信端末と基地局との間で情報が転送される途中であるのに対し、
　引用発明は、空中インターフェース暗号化の要求をし、空中インターフェース暗号化の開始するときがどの様なときであるのか明らかでない点。
　
（相違点２）
　暗号化要求段階において、移動通信端末から転送される暗号化を要求する要求情報が、
　本願発明は、暗号化を要求するＲＡＮＤ値を含ませた転送情報であるのに対し、
　引用発明は、プライバシー要求信号である点。
　
（相違点３）
　基地局がＲＡＮＤ番号値を基礎として情報暗号化準備過程に必要なキー値を算出した後、暗号化準備過程を完了する完了段階が、
　本願発明は、基地局が移動通信端末からのＲＡＮＤ番号値を基礎として情報暗号化準備過程に必要なキー値を算出した後、暗号化準備過程が完了したというメッセージを移動通信端末に転送するものであるのに対し、
　引用発明は、地球局６が移動端末２からのプライバシー要求信号を受信すると、地球局側のランダム数（ＲＡＮＤ１）を用いて空中インターフェース暗号化キーＫc及び署名された応答数（ＳＲＥＳ）とを計算した後、地球局側のランダム数（ＲＡＮＤ１）を含む識別検証質問メッセージを移動端末２に送信し、移動端末２から署名された応答数（ＳＲＥＳ）を受信して、空中インターフェース暗号化準備を完了するものである点。
　
　
５．判断
　平成２１年１０月３０日付けの拒絶理由に引用された刊行物である特開平４−１８９０４５号公報（以下、「引用文献２」という。）の
「この発明は、ＩＳＤＮ基本インタフェース加入者線の情報チャネル（Ｂチャネル）を用いて、音声を符号化して通話を行うディジタル電話機に適用できる。以下このディジタル電話機を例に、第１図、第２図および第３図を用いてこの発明の動作を説明する。
　・・・・＜中略＞・・・・　この発明を適用した発信側の暗号機能付きディジタル電話機（以下「Ｘ電話機」と記す）、同じくこの発明を適用した着信側の暗号機能付きディジタル電話機（以下「Ｙ電話機」と記す）、同じくこの発明を通用したＸ電話機に着呼する暗号機能付きディジタル電話機（以下「Ｚ電話機」と記す）において、Ｘ電話機のＢチャネルとＹ電話機のＢチャネルが接続された後の時点より説明を行う。
　・・・・＜中略＞・・・・　
　一方、Ｘ電話機とＹ電話機間で暗号通話中にＺ電話機からＸ電話機に着信があった場合（暗号通話中であっても通信中着信は網からＤチャネル経由で知らされるため認識可能）、Ｘ電話機とＺ電話機間は最初は相手確認等のために、先のＸ電話機とＹ電話機間と同様に暗号化しない通話を行う必要があること、および保留されたＹ電話機には網から保留音が送られてくるため、Ｘ電話機とＹ電話機間は暗号化しない通常の通話に戻す必要がある。
　以上より、
暗号機能付きディジタル電話機で暗号通信を実現するには暗号通信の開始、終了を任意の時点で行う必要がある
　次に上記の動作を電話機の送話側、受話側に分け詳細に説明する。
送話側
　
第１の動作フェーズは、入力音声信号を暗号化しないで送出する（以下、“フェーズ１”と記す）
　
第２の動作フェーズは、マイクロプロセッサ部からのＩＤＬ送出指示により、Ｍ個のＩＤＬキャラクタを送出し
　第３の動作フェーズは、送出すべきデータ（マイクロプロセッサ部からセットされる送話ＩＶ、暗号化ＤＫ等）がないとき（アンダーラン時）はタイムフィルキャラクタとしてＩＤＬキャラクタを送出し、送出すべきデータがあるときはそのデータを送出する。（以下、“フェーズ３”と記す）。
　
第４の動作フェーズは、マイクロプロセッサ部からの暗号開始指示により、１個のＥＯＣキャラクタを送出し、フェーズ５に遷移するまで（以下、“フェーズ４”と記す）
　
第５の動作フェーズは、入力音声信号を暗号化して送出する（以下、“フェーズ５”と記す）
　第６の動作フェーズは、マイクロプロセッサ部からの暗号解除指示により、Ｍ個の暗号化したＩＤＬキャラクタを送出し、フェーズ１に遷移するまで（以下、“フェーズ６”と記す）。
　・・・・＜中略＞・・・・　
・フェーズ１
　第１図のハンドセット２の送話器２ｓの出力２１（アナログ信号）は、送話部９の符号器４９で１バイトのディジタル信号に変換される。このとき送話制御部４１の出力７２はセレクタ５０に対して符号器４９の出力６３を選択するように指示し、出力６８はセレクタ５２に対してセレクタ５０の出力６４を選択するように指示する。
よって本フェーズでは第１図の送話部９の出力２３には通常の（暗号化されていない）音声信号が送出される。（第３図の１１０参照）
・フェーズ２
　フェーズ１で双方が暗号鍵の入力を完了したことを確認後、
いずれか一方の者が、あるいは双方が電話機に付いている暗号開始を指示する暗号スイッチ１７を押下する。暗号スイッチ１７の押下により信号２７がオンになりこれをキー入力制御部１２を通じてマイクロプロセッサ部５が受けて制御レジスタ４８に対してＩＤＬ送出指示を行う
　・・・・＜中略＞・・・・　
　
マイクロプロセッサ部５からのＩＤＬ送出指示により、送話制御部４１は、出力７２でセレクタ５０に対してＩＤＬレジスタ４２の出力５６を選択するように指示し、信号６９をオンにしてカウンタ５４をスタートさせる。カウンタ５４はＩＤＬキャラクタを１個送出する毎にカウント値は＋１加算され、計数値出力７０の値がＭレジスタ４７にセットされた値Ｍになれば比較器５５の出力７１がオンになり、送話制御部４１はこれを受けてＣＰＵ割り込み信号３１でマイクロプロセッサ部５にフェーズ２が完了したことを報告するとともにフェーズ３の動作に遷移する
　
よって本フェーズでは第１図の送話部９の出力２３にはＩＤＬキャラクタがＭ個送出され、フェーズ３に遷移する
・フェーズ３
　次に送出すべき１バイトのデータ（ＳＩＶまたは暗号化ＤＫ等）がＳＤレジスタにセットされていれば送話制御部４１は信号７２を通してセレクタ５０がＳＤレジスタ４３の出力５７を選択するように指示する。もし、次に送出すべきデータ（ＳＩＶまたは暗号化ＤＫ等）がＳＤレジスタ４３にセットされていなければ（アンダーラン時）送話制御部４１は信号７２を通してセレクタ５０がＩＤＬレジスタ４２の出力５６を選択するように指示する。図に示していないが、送話制御部４１でＳＤレジスタ４３のデータの有無、その送出を管理できるようにされている。
よって本フェーズでは第１図の送話器９の出力２３には送出すべきデータ（マイクロプロセッサ部からセットされるデータ）があるときはそのデータを送出し（第３図の１１２参照）、送出すべきデータがないとき（アンダーラン時）はＩＤＬキャラクタを送出する（第３図１１３参照）。
　・・・・＜中略＞・・・・　
・フェーズ４
　
マイクロプロセッサ部５からの暗号開始指示により、つまりＳＩＶデータや暗号化ＤＫデータなどは次々とマイクロプロセッサ部５からＳＤレジスタ４３にセットするが、このデータのすべてのＳＤレジスタ４３に対するセットが終了すると、そのことがマイクロプロセッサ部５が指示され、送話制御部４１は信号７２を通してセレクタ５０がＥＯＣレジスタ４４の出力５８を選択するように指示し、ＥＯＣキャラクタを１個送出してフェーズ５の動作に遷移する。
よって本フェーズでは第１図の送話部９の出力２３にはＥＯＣキャラクタが１個送出される
・フェーズ５
　
送話制御部４１の出力７２はセレクタ５０に対して符号器４９の出力６３を選択するように指示し、出力６７で暗号器５１に対して暗号開始を指示し、出力６８でセレクタ５２に対して暗号器５１の出力６５を選択するように指示する。　よって本フェーズでは第１図の送話部９の出力２３には押しボタンダイヤル１５よりセットされた暗号鍵または相手から送られた暗号化ＤＫをマイクロプロセッサ部５でマスター鍵ＭＫで復号したデータ鍵ＤＫを用い、ＳＩＶを初期変数（内部の初期値）として暗号化された音声信号を送出する
　・・・・＜中略＞・・・・　
受話側
　
第１の動作フェーズは呼設定後から、受話した音声信号をそのまま出力するとともに、ＩＤＬキャラクタを連続Ｎ個検出するまで
　第２の動作フェーズはＩＤＬキャラクタを検出した場合はＩＤＬキャラクタは放棄し、ＥＯＣキャラクタを検出した場合はフェーズ３に遷移し、それ以外のデータ（ＳＩＶまたは暗号化ＤＫ等）を検出した場合は出力する（以下、“フェーズ２”と記す）。
　
第３の動作フェーズは受話した信号（暗号化された音声信号）を復号するとともに暗号化されたＩＤＬキャラクタを連続Ｎ個検出するまで
　第４の動作フェーズは復号されたデータがＩＤＬキャラクタ以外を検出するまで（以下、“フェーズ４”と記す）。
・フェーズ１
　
呼設定後、受話制御部７３の出力９２はセレクタ７９に対して直列並列変換器７７の出力信号８９を選択するように指示しているため、符号復号器８０には受話データ（通常の音声信号）が入力され、出力９４はセレクタ８２に対して符号復号器８０の出力９０を選択するように指示しているため、第１図のハンドセット２の受話器２ｒには相手からの音声が出力される
　また呼設定後はカウンタ８５は動作中であるため、相手側が音声の暗号化を開始する前に送出するＩＤＬキャラクタはいつでも検出可能である。比較器８４がＩＤＬキャラクタを１個検出する毎にカウンタ８５のカウント値は＋１加算される（信号８９がＩＤＬキャラクタ以外のときは比較器８４の出力９７はオフとなり、カウンタ８５は０となる）。カウンタ８５の計数値出力９８の値がＮレジスタ７４にセットされた値Ｎになれば比較器８６の出力１００がオンになり、受話制御部７３はこれを受けてフェーズ２の動作に遷移する。
　
よって本フェーズでは第１図の受話部８の出力２０には受話した音声信号（ディジタル信号）をそのままアナログ変換して出力するとともに、ＩＤＬキャラクタを連続Ｎ個検出するまで
・フェーズ２
　
フェーズ２では受話制御部７３の出力９４はセレクタ８２に対して電子音発生回路８１の出力９１を選択するよう指示するため、第１図のハンドセット２の受話器２ｒからは電子音発生回８１が発生する音声が流れる
　また、信号８９上にＩＤＬキャラクタを受話すると比較器８４の出力９７がオンとなり、受話制御部７３に知らせる。このとき受話制御部７３は何も動作しない（受信したＩＤＬキャラクタは放棄する）。また信号８９上にＥＯＣキャラクタを受信すると比較器８３の出力９６はオンになり、受話制御部７３に知らせる。受話制御部７３はこれを受けてフェーズ３の動作に遷移する（受信したＥＯＣキャラクタは放棄する）。また信号８９上にＩＤＬキャラクタ、ＥＯＣキャラクタ以外のデータ（ＳＩＶまたは暗号化ＤＫ等）を受信した場合、受話制御部７３は出力９５をオンにするとともに、ＣＰＵ割込み信号３０によりマイクロプロセッサ部５ヘデータを受信したことを報告する。このとき出力９５がオンになり、信号８９上のデータをＲＤレジスタ７５にラッチする。
　
よって本フェーズではＩＤＬキャラクタを検出した場合はＩＤＬキャラクタを放棄し、ＥＯＣキャラクタを検出した場合はＥＯＣキャラクタを放棄しフェーズ３に遷移し、それ以外のデータ（ＳＩＶまたは暗号化ＤＫ等）を受信した場合は出力する
　このとき受信したデータはマイクロプロセッサ部５で２バイトで表現されたデータを１バイトデータに逆変換し、ＳＩＶはＲＩＶレジスタ７６にセットし、暗号化ＤＫ（暗号鍵の多層化を行った場合）はマイクロプロセッサ部５でマスター鍵ＭＫで復号して、そのデータ鍵ＤＫをＫＥＹレジスタ４５にセットする。
・フェーズ３
　
受話制御部７３の出力９２は暗号復号器７８に対して受話データ（暗号化された音声信号）の復号動作の開始を指示し、セレクタ７９に対して暗号復号器７８の出力８８を選択するように指示する。また受話制御部７３の出力９４はセレクタ８２に対して符号復号器８０の出力９０を選択するよう指示する。これより復号した音声が第１図のハンドセット２の受話器２ｒより流れる
　ここで相手側と同じ暗号鍵、ＩＶが復号器７８にセットされていれば暗号化された音声信号は完全に元の音声に復元できるが、暗号鍵またはＩＶの何れか一方が異なっていれば暗号化された音声信号は元の音声に復元できない。
　・・・・＜中略＞・・・・　
　
よって本フェーズでは第１図の受話部８の出力２０には暗号化された音声信号を復号し、それをアナログ変換して出力するとともに、暗号化されたＩＤＬキャラクタを連続Ｎ個検出するとフェーズ４に遷移する
　通話開始時点以外の時点において、暗号通信を行っていない状態の送話側電話機と受話側電話機との間で暗号化されていない受話データよる通常通話の途中に、暗号通信を必要とすると、暗号通信を開始するために送話側電話機が暗号開始指示することにより、送話側電話機と受話側電話機との間で暗号化されていない受話データよる通常通話の途中から暗号化された受話データによる暗号通信を行うこと、
　すなわち、通信開始時点以外の時点において、暗号通信を行っていない状態の通信装置間で暗号化されていない情報が転送されている途中に暗号化を必要とすると、暗号通信を開始するために通信装置が暗号開始指示することにより、通信装置間で暗号化されていない情報が転送されている途中で暗号化の開始をすることは周知技術である。
　
　同様に、平成２１年１０月３０日付けの拒絶理由に引用された刊行物である特開平９−８３６５０号公報（以下、「引用文献３」という。）の
「【０００４】
【発明が解決しようとする課題】前述の従来の方法では、音声信号やＦＡＸ信号等の通話の種別や、通信内容の秘匿性の大小に関わりなく、秘匿がかけられることになる。本発明は、通話中の電話機の扱者の判断により、秘匿通話の設定及び解除動作を制御可能にすることを目的とする。
【０００５】
【課題を解決するための手段】本発明は、上記の目的を達成するため、支部局の回線制御装置の信号線路のトーンを検出するためのトーン検出回路を設け、通話中の電話機の扱者の操作により送出される所定のトーンを検出することで、信号が秘匿回路を通されるか否かの切り替えが行なわれるようにしたものである。
【０００６】その結果、支部局の回線制御装置において、通話中のＰＢ信号等の所定のトーンを検出し、その結果、端末局に設定信号を送出することで、秘匿通話の設定が可能となる。
【０００７】
【発明の実施の形態】以下、この発明の実施例を、図１、図２を用いて説明する。図１は防災無線システムの構成例、図２は複数支部間の端末局どうしの通話中の秘匿通話の設定時および解除時の信号の送受を示したものである。
【０００８】支部局Ａに接続された端末局ａ側の電話機７と、支部局Ｂに接続された端末局ｂの側の電話機７とが通話中に、端末局ａ側の電話機７から秘匿通話設定用として、予め定められたＰＢ信号等のトーンを送出する。支部局Ａ及び支部局Ｂの制御部１２では、トーン受信信号の種類を識別することにより、秘匿通話を設定するか解除するかを判定する。秘匿通話を設定すると判断した場合、制御部１２は、それぞれの支部局に接続された端末局ａ，ｂに対し、設定信号を送出すると共に、回線制御装置１において、秘匿回路１０により通話に秘匿がかかる様に切り替える。それぞれの端末局ａ，ｂでは設定信号の受信により、それぞれの回線制御装置６において秘匿回路１０が動作する様に切り替え、端末局ａ，ｂ間での秘匿通話が可能となる。秘匿通話の解除の場合も、前述と同様なシーケンスで可能となる。」記載及び図２に開示されているように、
　通話開始時点以外の時点において、秘匿通信を行っていない状態の電話機間での通話の途中に、電話機の扱者が秘匿通話を必要とすると、電話機からの秘匿通話設定用として予め定められた信号を送出することにより、電話機間での通話の途中に秘匿通話を行うこと、
　すなわち、通信開始時点以外の時点において、暗号通信を行っていない状態の通信装置間で暗号化されていない情報が転送されている途中に暗号化を必要とすると、暗号通信を開始するために通信装置が暗号開始指示することにより、通信装置間で暗号化されていない情報が転送されている途中で暗号化の開始をすることは周知技術である。
　
　したがって、引用文献２及び３に開示されているように、通信開始時点以外の時点において、暗号通信を行っていない状態の通信装置間で暗号化されていない情報が転送されている途中に暗号化を必要とすると、暗号通信を開始するために通信装置が暗号開始指示することにより、通信装置間で暗号化されていない情報が転送されている途中で暗号化の開始をすることは周知技術であることを踏まえると、
　引用発明において、プライバシー要求ステップを、通信開始時点以外の時点において、地球局６への移動端末２の登録が完了した後に、空中インターフェース暗号化モードにない状態の移動端末２が暗号化されていない情報が転送されている途中に空中インターフェース暗号化を必要とすると、移動端末２がプライバシー要求信号を地球局６に送信するものとすると共に、
　暗号化ステップを、移動端末２と地球局６との間で暗号化されていない情報が転送されている途中で空中インターフェース暗号化を開始するものとすることは、当業者が容易になし得たことである。
　よって、相違点１は格別なものではない。
　
　
　上記相違点２について検討する。
　平成２１年１０月３０日付けの拒絶理由に引用された刊行物である特表２００２−５２８９７８号公報 （以下、「引用文献４」という。）の
「　　【０００８】
  この目的は、ＳＩＭカードがシステムにチャレンジ（ｃｈａｌｌｅｎｇｅ）するように既存のＳＩＭカードに新しい機能を付加することにより達成される。従って、ＳＩＭカードは、ネットワークに対して乱数を発行し、次いでネットワークが正しい結果により応答する必要がある。
　・・・・＜中略＞・・・・　
　　　【００１２】
    （好ましい実施例の説明）
  図１に、ＧＳＭシステムにおいて認証中に実行される異なるステップを説明するフロー・チャートを示す。
　・・・・＜中略＞・・・・　
　　　【００１４】
  次に、ＭＥは、ステップ１０５においてＧＳＭネットワークに対してチャレンジを送信すべきことを表示したメッセージに対する応答として、ＳＩＭカードに対し、乱数の要求を発行する（ステップ１１３）。そこで、ＳＩＭカードは、乱数、及びステータスＯＫメッセージを返送する（ステップ１１５）。その後、
ＭＳは、ＧＳＭネットワークに乱数（ＲＡＮＤ）を送信することにより、ＧＳＭネットワークに対してその認証の要求を発行する
ＧＳＭネットワークは、好ましくは、この要求に対してＳＲＥＳを返送することにより、応答する
      【００１５】
  ＭＳにより受信されたＳＲＥＳは、ＭＥからＳＩＭカードに送信される（ステップ１２１）。次いで、ＳＩＭカードは、ＳＲＥＳ値が正しい値であることを検証して、その通りであれば、ステータス：ＯＫメッセージをＭＥに返送する、に戻る（ステップ１２３）。」（備考：下線は当審で付与したもの）の記載及び図１、そして、
「    【００１８】
  図２に、ＧＳＭネットワークを認証するための第２の実施例を示す。
　・・・・＜中略＞・・・・　その後、ＭＳの移動装置（ＭＥ）は、コマンド「ＧＳＭアルゴリズムを実行」を発行する（ステップ２０３）。次いで、ＳＩＭカードは、ステータスはＯＫでないこと、及びシステムに対してチャレンジを発行すべきことを表示するステータス条件を返送する（ステップ２０５）。これは、例えば、コマンド「ＧＳＭアルゴリズムを実行」に対する応答として、新しいコードを付加することにより実行されてもよい。
      【００１９】
  次に、移動装置は、ＳＩＭカードに対して乱数の要求を発行する（ステップ２０７）。ＳＩＭカードは、ステータス：ＯＫメッセージと共に乱数（ＲＡＮＤ２）を返送する（ステップ２０９）。
      【００２０】
  次いで、
移動局によりこの乱数がシステムに送信される（ステップ２１１）
ＧＳＭシステムは、これに対してＳＲＥＳ値（ＳＲＥＳ２）を返送する（ステップ２１３）
　移動局（ＭＳ）が、移動局側で発行した乱数を含む認証要求をＧＳＭネットワークに送信し、ＧＳＭネットワークが、移動局（ＭＳ）からの認証要求に対してＳＲＥＳを移動局（ＭＳ）に返送することにより応答すること、すなわち、認証要求をする移動局が、移動局で生成した乱数を含む認証要求信号をＧＳＭネットワークに送信することは周知事項である。
　
　同様に、平成２１年１０月３０日付けの拒絶理由に引用された刊行物である特開２００１−２５１２９２号公報（以下、「引用文献５」という。）の
「【０００９】新しいＳＳＤ値を認証および暗号化手続きで使用することを受け入れる前に、
ワイヤレス装置は
通信システムを認証する
これを行うため
ワイヤレス装置は、ブロック３６で、乱数ＲＡＮＤＢＳチャレンジを生成する
ワイヤレス装置は、ＲＡＮＤＢＳを、例えば基地局チャレンジ３７の一部として、ワイヤレス通信システムにも送る
ワイヤレス通信システムは
ワイヤレス装置からのＲＡＮＤＢＳ
を用いて、ＡＵＴＨＢＳを導出する
【００１０】
ワイヤレス通信システムは、署名手続き４０によって生成されたＡＵＴＨＢＳ値を、例えば基地局チャレンジ確認命令４１で、ワイヤレス装置へ送る
ワイヤレス装置は、ワイヤレス装置で生成したＡＵＴＨＢＳ値を、システムから送信されたＡＵＴＨＢＳ値と比較する。この比較で一致した場合、ワイヤレス装置１４は、直接にＳＳＤ−ＮＥＷを検証したことにより、通信システムを認証したことになる
　ワイヤレス装置が、ワイヤレス装置で生成した乱数ＲＡＮＤＢＳチャレンジをワイヤレス通信システムに送信し、ワイヤレス通信システムが、ワイヤレス装置からの乱数ＲＡＮＤＢＳを用いて導出した署名値ＡＵＴＨＢＳをワイヤレス装置に送信すること、すなわち、認証要求をする移動局が、移動局で生成した乱数を含む認証要求信号を通信システムに送信することは周知事項である。
　
　また、平成２１年１０月３０日付けの拒絶理由に引用された刊行物である特開２００１−２２３６９２号公報（以下、「引用文献６」という。）の
「【００３５】しかし、段階２３９でチェックした結果、対応する応答メッセージでない場合、リンク管理者１０６は対応する応答メッセージが受信されるまで待つ。図４Ａは初期接続(pairing)段階で行われる認証手続き図に対する概念図であって、単一認証による場合である。従って、図４Ａに示されたように、認証要求開始側１００のリンク管理者１０６に対する認証イネーブルAuthentication_Enableは“０ｘ０１”と設定されており、認証要求受信側１１０のリンク管理者１１６に対する認証イネーブルAuthentication_Enableは“０ｘ００”と設定されている。
【００３６】このように認証イネーブルが設定された状態で、
認証要求開始側１００のリンク管理者１０６が認証要求受信側１１０のリンク管理者１１６で認証要求ＬＭＰメッセージLMP_au_randを送出すれば
認証要求受信側１１０のリンク管理者１１６はそれに対した応答メッセージに該当される認証応答ＬＭＰメッセージLMP_sresを認証要求開始側１００のリンク管理者１０６に送出する
【００３７】これにより、認証要求開始側１００のリンク管理者１０６はリンクキーを生成するためのＬＭＰメッセージLMP_comb_keyまたはLMP_unit_keyを認証要求受信側１１０のリンク管理者１１６に送出しながら、送出したＬＭＰメッセージをメモリ１０５に貯蔵する。認証要求受信側１１０のリンク管理者１１６はリンクキーを生成するためのＬＭＰメッセージLMP_comb_keyまたはLMP_unit_keyが受信されると、それに対する応答メッセージに該当される。
【００３８】リンクキーを生成するためのＬＭＰメッセージLMP_comb_keyまたはLMP_unit_keyを認証要求開始側１００のリンク管理者１０６に送出し、該当されるリンクキーを生成した後、初期接続段階における認証手続きを終了する。認証要求開始側１００のリンク管理者１０６はリンクキーを生成するためのＬＭＰメッセージLMP_comb_keyまたはLMP_unit_keyが受信されると、該当されるリンクキーを生成し、初期接続段階いおける認証手続きを終了する。」（備考：摘記事項中の下線は当審で付与したもの）の記載及び図４Ａに開示されているように、
認証要求開始側から認証要求ＬＭＰメッセージLMP_au_randを送出し、認証要求受信側が、それに対した応答メッセージに該当される認証応答ＬＭＰメッセージLMP_sresを認証要求開始側に送出すること、すなわち、認証要求開始側から乱数を含む認証要求メッセージを認証要求受信側に送信することは周知事項である。
　
　一方、引用発明のプライバシー要求ステップにおいて、移動端末２が地球局６に送信するプライバシー要求信号は、空中インターフェース暗号化を要求するための要求信号であるが、引用発明のプライバシー要求ステップに続いて行われる完了ステップにおいて、地球局６はプライバシー要求信号を受信すると、地球局側のランダム数（ＲＡＮＤ１）を用いて署名された応答数（ＳＲＥＳ）とを計算した後、地球局側のランダム数（ＲＡＮＤ１）を含む識別検証質問メッセージを移動端末２に送信し、移動端末２から署名された応答数（ＳＲＥＳ）を受信しており、この完了ステップにおいて、署名された応答数（ＳＲＥＳ）は、地球局６が移動端末２を識別検証するために用いられるもの、言い換えると、地球局６が移動端末２を認証するために用いられるものであるから、プライバシー要求信号は、移動端末２が地球局６に認証要求をするための要求信号としても用いられていることは明らかである。
　そうすると、移動端末２が地球局６に送信するプライバシー要求信号は、暗号化要求をするための要求信号であると同時に、認証要求をするための要求信号として用いられているものであり、そして、引用文献４乃至６に開示されているように、認証要求をする移動局が移動局側で生成した乱数を含む認証要求信号を送信することは周知事項であることを考え合わせると、
　引用発明のプライバシー要求ステップにおいて、プライバシー要求信号に乱数を含ませるようにすることは、当業者が容易になし得たことである。
　よって、相違点２は格別なものではない。
　
　
　上記相違点３について検討する。
　平成２１年１０月３０日付けの拒絶理由に引用された刊行物である特開２０００−２６９９５９号公報（以下、「引用文献７」という。）の
「【０００３】図２は、ＧＳＭ無線ネットワークで使用される認証工程図である。この場合、モバイルとホーム位置レジスタの両方はキーＫｉを有する。モバイルがビジティングネットワークへのアクセスをリクエストすると、
ビジティング認証センタはホーム認証センタにコンタクトし、変数ＲＡＮＤ、ＳＲＥＳ、およびＫｃを受取る
ビジティング認証センタはモバイルにランダムナンバＲＡＮＤを伝送することにより、モバイルに呼掛けする
モバイルは、ホーム認証センタによって行われた計算方法と同方法でＳＲＥＳ、およびＫｃを計算する。次にモバイルは、値ＳＲＥＳをビジティング認証センタに伝送し、そこでビジティング認証センタはモバイルより受信のＳＲＥＳとホーム認証センタから受信のＳＲＥＳとを比較する
これらの値がマッチした場合、モバイルのビジティングネットワークへのアクセスが許可となる
モバイルと、ビジティングネットワーク間の通信がさらに暗号化される場合、入力として暗号化されるメッセージと、かつ、値Ｋｃと等しいキー入力とにより、Ａ５暗号関数を用いることにより、これらが暗号化される
「【０００５】図３ｂは、モバイルとビジター位置レジスタとの両方がキーＳＳＤＡおよびＳＳＤＢを受取った後、いかにモバイルがビジティングネットワーク内で認証されるかを示したものである。
ビジティング認証センタは、ランダムナンバＲＮをモバイルに送信することによりモバイルに呼掛けを行う
この時点で、モバイルとビジティング認証センタの両方は値ＡＵＴＨＲを計算する
ＡＵＴＨＲは、入力としてランダムナンバＲＮと、キー入力としてＳＳＤＡ値とを用いるＣＡＶＥアルゴリズムの出力と等しい
次にモバイルは計算された値ＡＵＴＨＥＲをビジティング認証センタに伝送する
ビジティング認証センタはそのＡＵＴＨＥＲの計算値と、モバイルから受信した値との比較を行う
値がマッチした場合、モバイルは認証され、ビジティングネットワークへのアクセスが可能となる
加え、モバイルとビジティング認証センタの両方は、暗号キーＫｃの値を計算する。値Ｋｃは、入力として値ＲＮと、キー入力として値ＳＳＤＢとを用いるＣＡＶＥアルゴリズムの出力と等しい
この時点で、モバイルとビジティングネットワーク間の通信が許可され、暗号関数を用いて暗号化されるであろう。そこで、入力は暗号化されるメッセージと、キーＫｃである
　モバイルはビジティング認証センタからの呼掛けに含まれるランダムナンバ（ＲＡＮＤ又はＲＮ）を用いて値（ＳＲＥＳ又はＡＵＴＨＲ）及び暗号キー（Ｋｃ）を計算し、計算した値（ＳＲＥＳ又はＡＵＴＨＲ）をビジティング認証センタに伝送し、ビジティング認証センタはモバイルより受信した値（ＳＲＥＳ又はＡＵＴＨＲ）とビジティング認証センタで計算した値（ＳＲＥＳ又はＡＵＴＨＲ）とを比較し、値がマッチした場合、モバイルを認証すると共に、モバイルとビジティングネットワーク間の通信を暗号キーＫｃを用いて暗号化することが開示されている。
　ここで、ビジティング認証センタはモバイルより受信した値（ＳＲＥＳ又はＡＵＴＨＲ）とビジティング認証センタで計算した値（ＳＲＥＳ又はＡＵＴＨＲ）とを比較し、値がマッチした場合、モバイルを認証すると共に、モバイルとビジティングネットワーク間の通信を暗号キーＫｃを用いて暗号化していることからすると、
　ビジティング認証センタにおいて、モバイルより受信した値（ＳＲＥＳ又はＡＵＴＨＲ）が、ビジティング認証センタで計算した値（ＳＲＥＳ又はＡＵＴＨＲ）との比較がマッチすることは、ビジティング認証センタとモバイルとの間で暗号化の準備が完了したことを示すものであると言えるものである。
　また、ビジティング認証センタからの呼掛けによって、ビジティング認証センタはモバイルの認証をすると共に、モバイルとの間の通信の暗号化をしていることから、呼掛けは、認証要求であると共に暗号化要求の要求信号と言えるものである。
　これらを踏まえると、引用文献７には、認証及び暗号化の要求信号を受信するモバイルが、ビジティング認証センタからの要求信号に含まれるランダムナンバ（ＲＡＮＤ又はＲＮ）を用いて値（ＳＲＥＳ又はＡＵＴＨＲ）及び暗号キー（Ｋｃ）を計算した後、ビジティング認証センタとモバイルとの間で暗号化の準備が完了したことを示す値（ＳＲＥＳ又はＡＵＴＨＲ）をビジティング認証センタに伝送することが開示されている。
　したがって、引用文献７に開示されている事項からすると、認証及び暗号化の要求信号を受信する要求信号受信側装置が要求信号送信側装置からの要求信号に含まれる乱数を用いて暗号キー及び応答数を算出した後、応答数を要求信号送信側装置に転送して、暗号化準備を完了することは周知事項である。
　
　そうしてみると、引用発明の完了ステップは、地球局６が移動端末２からのプライバシー要求信号を受信すると、地球局側のランダム数（ＲＡＮＤ１）を用いて空中インターフェース暗号化キー（Ｋc）及び署名された応答数（ＳＲＥＳ）とを計算した後、地球局側のランダム数（ＲＡＮＤ１）を含む識別検証質問メッセージを移動端末２に送信し、移動端末２から署名された応答数（ＳＲＥＳ）を受信して、空中インターフェース暗号化準備を完了するものであるが、
　引用文献７に開示されているように、認証及び暗号化の要求信号を受信する要求受信側装置が要求送信側装置からの要求信号に含まれる乱数を用いて暗号キー及び応答数を算出した後、算出した応答数を要求送信側装置に転送して、暗号化準備を完了することは周知事項であることから、
　引用発明の完了ステップを、地球局６が移動端末２から受信したプライバシー要求信号に含まれる乱数を用いて暗号キー（Ｋc）及び応答数（ＳＲＥＳ）を算出した後、算出した応答数（ＳＲＥＳ）を移動端末２に転送して、空中インターフェース暗号化準備を完了するものとすることは、当業者が容易になし得たことである。
　よって、相違点３は格別なものではない。
　
　上記で検討したように、相違点１乃至３は格別なものではなく、本願発明の構成によってもたらされる効果も、当業者であれば予測可能なものに過ぎず格別なものとは認められない。
　
　
６．結び
　以上のとおり、本願発明は、引用発明、周知技術及び周知事項に基づいて、当業者が容易に発明をすることができたものであるから、特許法第２９条第２項の規定により特許を受けることができない。
　よって、結論のとおり審決する。